(57)【要約】【課題】  入力表示灯または出力表示灯のいずれかが点灯したとき、どの端子に接続された配線に入出力信号が到来したかを直ちに判別可能としたＰＬＣを提供すること。【解決手段】  外部配線を結線するための端子を複数配列してなる端子台と、端子台を構成する各端子を識別するためのシンボルを、端子台上の端子配列に整合するように、端子台に隣接して配列してなる端子シンボル列と、端子台部を構成する各端子の信号状態に応じてそれぞれ点消灯する複数の表示灯を配列してなる表示灯列とを有し、かつ端子シンボル列を構成する個々の端子シンボルと表示灯列を構成する個々の表示灯とは、対応するもの同士において、位置的に重なるように配置されている。【選択図】  図１
2006309727.tif 000002
【特許請求の範囲】
【請求項１】
外部配線を結線するための端子を複数配列してなる端子台と、
端子台を構成する各端子を識別するためのシンボルを、端子台上の端子配列に整合するように、端子台に隣接して配列してなる端子シンボル列と、
端子台を構成する各端子の信号状態に応じてそれぞれ点消灯する複数の表示灯を配列してなる表示灯列とを有し、かつ
端子シンボル列を構成する個々の端子シンボルと表示灯列を構成する個々の表示灯とは、対応するもの同士において、位置的に重なるように配置されている、
ことを特徴とするプログラマブル・コントローラ。
【請求項２】
端子台を有するハウジングと、
ハウジング内に収容された回路基板と、
回路基板上に搭載されＬＥＤ列と、
一端が回路基板上のＬＥＤ列のそれぞれに位置し、他端が端子台に隣接して配列された端子シンボル列に位置する複数の光ガイド部を有する光ガイドとを有する、
ことを特徴とする請求項１に記載のプログラマブル・コントローラ。
【請求項３】
回路基板が、主回路に相当するＬＳＩを搭載した主回路基板であり、前記ＬＥＤ列は該主回路基板の端縁に沿って配列されている、
ことを特徴とする請求項２に記載のプログラマブル・コントローラ。
【請求項４】
ＬＥＤ列を構成する各ＬＥＤは端子シンボル列を構成する各端子シンボルの真下に相当する回路基板上に配置され、各ＬＥＤと各端子シンボルとを結ぶ各光ガイド部は直線上の光ガイドピンとされている、
ことを特徴とする請求項３に記載のプログラマブル・コントローラ。
【請求項５】
光ガイド部のＬＥＤと反対側の端部には透明窓部が開口形成され、この透明窓部には端子シンボルが描かれた透明シートが配置され、この透明シート上の端子シンボルがＬＥＤから光ガイド部で導かれた光で照光される、
ことを特徴とする請求項２に記載のプログラマブル・コントローラ。
【請求項６】
端子シンボルが端子番号数字である、
ことを特徴とする請求項２に記載のプログラマブル・コントローラ。
【請求項７】
入力端子台および／または出力端子台を有するプログラマブル・コントローラとして構成されている、
ことを特徴とする請求項２に記載のプログラマブル・コントローラ。
【請求項８】
入力端子台を構成する各端子に対応する端子シンボルの表示灯は、プログラマブル・コントローラの入力リフレッシュ処理を介することなく、当該端子への入力信号と連動して直接的に点灯駆動される、
ことを特徴とする請求項１〜７のいずれかに記載のプログラマブル・コントローラ。
【請求項９】
出力端子台を構成する各端子に対応する端子シンボルの表示灯は、プログラマブル・コントローラの出力リフレッシュ処理を介して点灯駆動される、
ことを特徴とする請求項１〜７のいずれかに記載のプログラマブル・コントローラ。
【請求項１０】
端子台が、互いに１／２ピッチずらして配列された上段端子列と下端端子列とを有し、かつ端子シンボル列及び表示灯列が端子台に隣接して千鳥配置されている、
ことを特徴とする請求項１〜９のいずれかに記載のプログラマブル・コントローラ。
【発明の詳細な説明】
【技術分野】
【０００１】
本発明は、端子台を備えたプログラマブル・コントローラ（以下、ＰＬＣと言う）、特に、入力端子又は出力端子に関する状態表示機能を備えたプログラマブル・コントローラに関する。
【背景技術】
【０００２】
この種のＰＬＣの一例として、従来のＰＬＣの外観を示す平面図が図７に示されている。同図に示されるように、このＰＬＣ１Ａのハウジングは、その平面において、入力端子台配置領域ａと、入力端子シンボル配置領域ｂと、本体領域ｃと、出力端子シンボル配置領域ｄと、出力端子台配置領域ｅとに分割されている。
【０００３】
入力端子台配置領域ａには、入力端子台２が配置される。この例では、図示は省略するが、互いに２分の１ピッチずらして配置された上下２段の端子列を有するものが採用されている。同様にして、出力端子台配置領域ｅにも出力端子台３が配置される。この出力端子台にあっても、図示を省略するが、互いに２分の１ピッチずらして配列された上下２段の端子列を有するものが採用されている。
【０００４】
入力端子台２に隣接して設けられた入力端子シンボル配置領域ｂには、入力端子台２の２列の端子列のそれぞれに位置的に対応させた入力側配線表４が描かれている。図から明らかなように、この配線表４は、入力端子台の端子配列に整合させて２列に分割され、各列は個々の端子幅ごとに分割されこれにより、上段個別領域６と下段個別領域７とが区画されている。
【０００５】
図から明らかなように、上段個別領域６のそれぞれの中央部には端子シンボル６ａが描かれており、また下段個別領域７の中央部にも端子シンボル７ａ，７ａが描かれている。端子シンボル６ａ，７ａとしては、端子番号数字やコモン記号ＣＯＭなどが採用される。
【０００６】
同様にして、出力端子台３に隣接する出力端子シンボル配置領域ｄにも、出力側配線表５が配置されている。この出力側配線表５についても、出力端子台３の端子配列にあわせて２列に分割され、各列は端子幅ごとに分割されて、上段個別領域８及び下段個別領域９が区画されている。上段個別領域８の中央部には端子シンボル８ａが、また下段個別領域９の中央部には端子シンボル９ａが描かれている。端子シンボル８ａ，９ａとしては端子番号数字やコモン記号ＣＯＭが採用される。
【０００７】
一方、本体領域ｃには、入力表示灯配置領域ｆと出力表示灯配置領域ｇとが設けられる。入力表示灯配置領域ｆ内には、上段端子列に対応する１ＣＨの１２個の表示灯１０と、下段端子列に対応する０ＣＨの１２個の表示灯１１が配置される。それらの表示灯１０，１１のすぐそばには、対応する端子シンボル１０ａ，１１ａが描かれる。ここで、表示灯列１０と表示灯列１１とはピッチをずらすことなく等間隔で配列されており、入力端子台２の端子配列とは配列パターンが異なる。なお、「０ＣＨ」、「１ＣＨ」の「ＣＨ」は、ＰＬＣの内部メモリを１６ビット単位で扱う場合の略号を表わしている。また、「ＣＨ」の前の数字は、ＰＬＣの内部メモリを１６ビット単位で区切った場合の何番目であるかを表わしている。
【０００８】
出力表示灯配置領域ｇには、上段端子列に対応する１０ＣＨの８個の表示灯１２と下段端子列に対応する８個の表示灯１３とが配置されている。これらの表示灯１２，１３のすぐ真下には、対応する端子シンボル１２ａ，１３ａが描かれている。この例にあっても、表示灯列１２，１３はピッチをずらすことなく等間隔で配置されており、その配列パターンは出力端子台３の端子配列とは異なる。
【０００９】
入力表示灯列１０，１１は、それぞれ対応する端子の信号状態を表しており、いずれかの入力端子の信号がオンすれば、該当する入力表示灯が点灯する。同様にして、出力表示灯列１２，１３は該当する出力端子の信号状態を表している。いずれかの出力端子の信号がオンすれば、該当する出力表示灯１２，１３のいずれかが点灯する。
【００１０】
なお、一般に、入力表示灯１０，１１の点灯は、該当する入力端子に与えられた信号によって直接的に駆動される。これに対して、出力表示灯１２，１３の点灯は、ＰＬＣのいわゆる出力リフレッシュ処理を介して駆動される。
【００１１】
なお、ＰＬＣの入出力端子台と関連して、入出力表示灯の機能を改善しようとする従来技術としては、例えば特許文献１が知られている。
【特許文献１】特開平１１−２６０４３８号公報
【発明の開示】
【発明が解決しようとする課題】
【００１２】
しかしながら、図７を参照して説明した従来のＰＬＣ１Ａにあっては、入力側配線表４または出力側配線表５における端子シンボルの配列は、実際の入力端子台２及び出力端子台３の端子配列と整合するものの、入力表示灯配置領域ｆ及び出力表示灯配置領域ｇにおけるシンボル配列は、入力端子台２及び出力端子台３の端子配列とは全く異なる。しかも両者間には位置的整合が全くとられていないため、配線チェックを行ったり、あるいは故障診断を行うような場合、表示灯１０，１１，１２，１３のいずれかが点灯したとしても、直ちにどの入力端子またはどの出力端子における信号状態に変化が生じたかを瞬時に理解することができない。そのため、メンテナンス要員やオペレータにとって使い勝手が悪いという問題点が指摘されている。
【００１３】
すなわち、一例を挙げれば、０ＣＨの表示灯「０３」が点灯したとしても、それに付された端子シンボル「０３」を頼りとして、入力側配線表４に描かれた０ＣＨの「０３」を見つけ、それと整合する位置にある端子に接続された配線に辿りつくといった煩雑な経過をとらないと、どの配線に関連して入力信号がオンしたかを容易には理解できないという問題点がある。
【００１４】
この発明は、このような従来の問題点に着目してなされたものであり、その目的とするところは、入力表示灯または出力表示灯のいずれかが点灯したとき、どの端子に接続された配線に入出力信号が到来したかを直ちに判別可能としたＰＬＣを提供することにある。
【００１５】
この発明のさらに他の目的ならびに作用効果については、明細書の以下の記述を参照することにより、当業者であれば容易に理解されるであろう。
【課題を解決するための手段】
【００１６】
上記の目的を達成するために、本発明のプログラマブル・コントローラは、外部配線を結線するための端子を複数配列してなる端子台と、端子台を構成する各端子を識別するためのシンボルを、端子台用の端子配列に整合するように、端子台に隣接して配列してなる端子シンボル列と、端子台を構成する各端子の信号状態に応じてそれぞれ点消灯する複数の表示灯を配列してなる表示灯列とを有し、かつ端子シンボル列を構成する個々の端子シンボルと表示灯列を構成する個々の表示灯とは、対応するもの同士において、位置的に重なるように配置されていることを特徴とするものである。
【００１７】
このような構成によれば、端子シンボル列を構成する個々の端子シンボルと表示灯列を構成する個々の表示灯とは、対応するもの同士において、位置的に重なるように配置されていることに加え、端子シンボル列そのものについても、端子台上の端子配列に整合するように、端子台に隣接して配置されるものであるから、表示灯列を構成するいずれかの表示灯が点灯または消灯すれば、その点消灯した表示灯にかかる端子シンボルの位置から直ちに該当する端子台の位置を判別することができ、これにより表示灯のオンオフにかかる信号配線を誰でも容易に判別することができるはずである。
【００１８】
本発明のプログラマブル・コントローラの好ましい実施の形態にあっては、端子台を有するハウジングと、ハウジング内に収容された回路基板と、回路基板上に搭載されたＬＥＤ列と、一端が回路基板上のＬＥＤ列のそれぞれに位置し、他端が端子台に隣接して配列された端子シンボル列に位置する複数の光ガイド部を有する光ガイドを有するようにしてもよい。
【００１９】
このような構成によれば、ＬＥＤ列については回路基板上に搭載する一方、端子シンボル列についてはハウジング外面に描くことが可能となるため、ハウジング上に直接表示灯を取り付けなくても済むため、ハウジングの構成が簡素化され、装置のデザイン設計が容易となる。
【００２０】
また、好ましい実施の形態にあっては、回路基板が、主回路に相当するＬＳＩを搭載した主回路基板であり、前記ＬＥＤ列は該主回路基板の端縁に沿って配列されているものであってもよい。このような構成によれば、主回路基板上にＬＥＤ列を搭載したまま、なおも端子台に隣接して表示灯を配列できるため、ＬＥＤが搭載された表示専用基板を別途設けることが不要となり、その分だけコストダウンが可能となる。
【００２１】
また、ＬＥＤ列を構成する各ＬＥＤは端子シンボル列を構成する各端子シンボルの真下に相当する回路基板上に配置され、各ＬＥＤと各素子シンボルとを結ぶ各光ガイド部は直線上の光ガイドピンとしてもよい。このような構成によれば、直線上の光ガイドピンによって光ガイド部の長さが均一となり、ＬＥＤ列から各端子シンボルへ導き出される光量が均一化されて、視認性が向上される。
【００２２】
また、光ガイド部のＬＥＤと反対側の端部には透明窓部が開口形成され、この透明窓部には端子シンボルが描かれた透明シートが配置され、この透明シート上の端子シンボルがＬＥＤから光ガイド部で導かれた光で照光されるようにしてもよい。
【００２３】
このような構成によれば、透明シート上に適当な間隔で描かれた端子シンボルがその背面側からＬＥＤからの光で照明されて明瞭化されるので、比較的簡単な構成であっても、端子シンボルを明瞭に描き出すことができる。
【００２４】
ここで、端子シンボルとしては、端子を識別するための文字記号など様々な構成を採用することができるが、端子シンボルが端子番号数字であれば、端子シンボルから直ちに該当する端子を割り出すことができ、使い勝手が良好となる。
【００２５】
また、本発明は入力端子台および／または出力端子台を有するプログラマブル・コントローラとして構成してもよい。このような構成によれば、プログラマブル・コントローラにおいて、各端子とその信号状態との関係をわかりやすく表示することができ、メンテナンスやトラブルシューティングなどの際に操作性が良好なものとなる。
【００２６】
また、本発明にあっては、入力端子台を構成する各端子に対応する端子シンボルの表示灯は、プログラマブル・コントローラの入力リフレッシュ処理を介することなく、当該端子への入力信号と連動して直接的に点灯駆動されるようにしてもよい。ここで、入力リフレッシュ処理とは、入力端子を介してプログラマブル・コントローラ内に取り込まれている外部機器（センサやスイッチなど）からの信号を所定の内部メモリ（ユーザプログラム実行時にアクセスされるメモリ）に反映する処理のことである。
【００２７】
また、出力端子台を構成する各端子に対応する端子シンボルの表示灯は、プログラマブル・コントローラの出力リフレッシュ処理を介して点灯駆動されるようにしてもよい。ここで、出力リフレッシュ処理とは、プログラマブル・コントローラの所定の内部メモリ（ユーザプログラムの実行結果が格納されるメモリ）のデータを、出力端子を介して外部機器（アクチュエータやランプなど）へ出力するためのメモリへ反映する処理のことである。
【００２８】
さらに、端子台が、互いに１／２ピッチずつずらして配列された上段端子列と下段端子列とを有し、かつ端子シンボル列及び表示灯列が端子台に隣接して千鳥配置されるようにしてもよい。このような構成によれば、端子台用の端子配列と、端子シンボル列および表示灯列との対応関係が一層明確となり、メンテナンスやトラブルシューティングの際の使い勝手が良好なものとなる。
【発明の効果】
【００２９】
本発明のプログラマブル・コントローラによれば、端子シンボル列を構成する個々の端子シンボルと表示灯列を構成する個々の表示灯とは、対応するもの同士において、位置的に重なるように配置されており、しかも端子台を構成する各端子を識別するためのシンボルは、端子台上の端子配列に整合するように、端子台に隣接して配列されるものであるから、いずれかの端子シンボルと対をなす表示灯が点灯または消灯すれば、その表示灯と対をなす端子シンボルとの位置関係に基づいて、該当する配線が接続された端子を直ちに判別することができ、トラブルシューティングやメンテナンスの際における作業性が良好なものとなる。
【発明を実施するための最良の形態】
【００３０】
以下に、本発明に係るＰＬＣの実施の一形態を添付図面を参照しながら詳細に説明する。
【００３１】
本発明が適用されたＰＬＣの外観を示す平面図が図１に示されている。同図に示されるように、このＰＬＣ１のハウジングは、その平面において、先の従来例と同様に、入力端子台配置領域ａと、入力端子シンボル配置領域ｂと、本体領域ｃと、出力端子シンボル配置領域ｄと、出力端子台配置領域ｅとに分割されている。
【００３２】
入力端子台配置領域ａには、入力端子台２が配置される。この入力端子台２は、上段端子２１ａを１列に配列してなる上段入力端子列２１と、下段端子２２ａを１列に配置してなる下段入力端子列２２とを含んでいる。図から明らかなように、上段入力端子列２１と下段入力端子列２２とは２分の１ピッチ幅方向にずらした関係となっており、いわゆる千鳥状端子配列を有している。これは配線作業の容易化を図るためである。
【００３３】
同様にして、出力端子台配置領域ｅには出力端子台３が配置されている。この例にあっては、出力端子台３は、上段端子３１ａを１列に配列してなる上段出力端子列３１と、下段端子３２ａを１列に配列してなる下段出力端子列３２とを含んでいる。上段出力端子列３１と下段出力端子列３２とは、図から明らかなように、２分の１幅方向へずらした関係となっており、いわゆる千鳥状端子配列パターンを有している。
【００３４】
入力端子シンボル配置領域ｂには、入力側配線表４が設けられている。後に詳細に説明するように、入力側配線表４は、透明な樹脂シートの上に印刷によって端子シンボルを描いたものであって、後述する光ガイドの上面に貼り付けられたものである。
【００３５】
同様にして、出力端子シンボル配置領域ｄにも、出力側配線表５が設けられている。この出力側配線表５にあっても、後に詳細に説明するように、透明な樹脂シートの表面に印刷によって端子シンボルを描いたものであり、後述する光ガイドの上面に貼り付けられている。
【００３６】
その他、図１において、１４はが運転状態表示部、１５，１６，１９は付属品収納部、１７はバッテリ収容部、１８はボリューム等の操作機器収容部、２１はアナログ入出力端子部である。
【００３７】
次に、ＰＬＣの構造を示す分解斜視図が図２に示されている。同図に示されるように、このＰＬＣは、入力側光ガイド２３、出力側光ガイド２４、ハウジング本体２５、回路基板２６とを備えている。
【００３８】
ハウジング本体２５は、この例では入力端子台２および出力端子台３を取り外した状態とされており、その内部には回路基板２６が装着される。回路基板２６は、主回路を構成する３個のＬＳＩ２６ｆ，２６ｇ，２６ｈを搭載する。また、回路基板２６の一方の側縁部には、入力側上段ＬＥＤ２６ａと入力側下段ＬＥＤ２６ｂが等ピッチで２列に搭載されると共に、他方の縁部には、出力側上段ＬＥＤ２６ｃと出力側下段ＬＥＤ２６ｄとが等ピッチで２列に配列される。後述するように、これらのＬＥＤ２６ａ〜２６ｄからの光によって、表示シンボルが照明される。
【００３９】
なお、回路基板２６上において、２６ｅは７セグメント表示器であり、運転中の各種の動作を表示するために使用される。
【００４０】
一方、入力側光ガイド２３は、ハウジング上面と面一となる上面２３ｃを有すると共に、その下面側からは、垂直方向に２列に並べて、上段ガイドピン２３ａと下段ガイドピン２３ｂとが突出して形成されている。これらのガイドピン２３ａ，２３ｂは、ハウジング本体２５の一側縁部に配列された挿通孔２５ａに挿入され、その先端は、回路基板２６上に搭載された入力側上段ＬＥＤ２６ａおよび入力側下段ＬＥＤ２６ｂに近接または接触して位置決めされる。一方、出力側光ガイド２４も同様にして上面２４ｃを有すると共に、その下面からは、上段ガイドピン２４ａと下段ガイドピン２４ｂとが突出して形成される。これらの上段ガイドピン２４ａおよび下段ガイドピン２４ｂは、ハウジング本体２５の他方の側縁部に２列に形成された挿入孔２５ｂに挿入され、その先端ないし下端は、回路基板２６の他方の側縁部に配列された出力側上段ＬＥＤ２６ｃおよび出力側下段ＬＥＤ２６ｄに近接または接触して位置決めされる。
【００４１】
そのため、回路基板２６上のＬＥＤ２６ａ〜２６ｄのいずれかが点灯すると、それらのＬＥＤからの光は、該当するガイドピン２３ａ，２３ｂ，２４ａ，２４ｂにより導かれて入力側光ガイド２３の上面２３ｃまたは入力側光ガイド２４の上面２４ｃへと到達する。すると、このＬＥＤから導かれた光によって、入力側光ガイド２３及び出力側光ガイド２４の上面に貼り付けられた配線表４，５に描かれた端子シンボルが照明されて、明瞭に描き出されることとなる。
【００４２】
この端子シンボルの表示動作を、図３のＡ−Ａ断面図、図４のＢ部拡大図、図５の入力側光ガイドの配線表の説明図、図６の出力側光ガイドの配線表の説明図を参照しながら以下に詳細に説明する。
【００４３】
図３に示されるように、回路基板２６の表面に搭載された入力側上段ＬＥＤ２６ａ，入力側下段ＬＥＤ２６ｂ，出力側上段ＬＥＤ２６ｃ，出力側下段ＬＥＤ２６ｄからの光は、それぞれ下段光ガイドピン２３ｂ，上段光ガイドピン２３ａ，上段光ガイドピン２４ａ，下段光ガイドピン２４ｂを通って、入力側光ガイド２３および出力側光ガイド２４の上面２３ｃ，２４ｃへと放射される。
【００４４】
図５（ａ）に示されるように、入力光ガイドの上面には、入力側配線表４が貼り付けられている。この入力側配線表４は、入力端子台の端子配列にあわせて２列に分割され、各列はさらに個々の端子幅に対応して分割されて、上段個別領域４１と下段個別領域４２とに区画されている。上段個別領域４１の中央部には端子シンボル２７の１つである端子番号数字２７ａが描かれると共に、下段個別領域４２の中央部には同様にして端子シンボル２７の１つである端子番号数字２７ａが描かれている。
【００４５】
図５（ｂ）及び（ｃ）のＤ部拡大図に示されるように、上段個別領域４１の中央部には、光ガイドピンの出口に相当する透明窓が開口形成されており、この窓部が発光部４１ａとなる。同様にして、下段個別領域４２の中央部にも、光ガイドピンの出口に相当する透明窓部が開口形成されており、この透明窓部が発光領域４２ａとなる。すなわち、上段個別領域４１及び下段個別領域４２は互いに密に隣接した細長長方形状の領域であるが、実際にはその中央部のみが光ガイドピンの出口に対応して長方形状に透明素材で形成されており、これにより該当するＬＥＤが発光すると、その光がガイドピンを通して、それら領域４１，４２の中央部に設けられた矩形の透明窓部に導かれ、その結果そこに描かれた端子番号数字２７ａは、その背後からＬＥＤの光で照明され、端子番号数字２７ａが明瞭に描き出されるのである。なお、図５（ａ）において、１４は表示部、１４ａは７セグメント表示領域であり、ハウジング内部に収容された７セグメント表示器２６ｅからの光がこの表示領域１４ａを通してハウジング上面から見えることとなる。
【００４６】
次に、図６（ａ）に示されるように、出力側光ガイド２４の上面にも配線表５が貼り付けられている。この配線表５も、透明な樹脂シートに、印刷技術を用いて、上段個別領域５１及び下段個別領域５２を描くと共に、それら領域の中央部には同様に印刷技術を用いて、端子番号数字２８ａが描かれている。
【００４７】
また、図６（ｂ）及び図６（ｃ）のＣ部拡大図に示されるように、各個別領域５１，５２のほぼ中央部には、矩形の透明部分が設けられており、この透明部分は光ガイドピンの出口に対応している。そのため、回路基板上のＬＥＤが点灯すると、その光が光ガイドピンを通じて光ガイド２４の上面へと導かれ、そこに描かれた端子番号数字をその背後から照明して、明瞭に描き出すこととなるのである。その結果図６４に示されるＣＢ部拡大図から明らかなように、ＬＥＤが光っていない状態にあっては、同図（ｂａ）に示されるように、上段個別領域５１及び下段個別領域５２のそれぞれの中央部に描かれた端子番号数字２８ａは、特に顕著に照明されることはないのに対し、同図（ｃｂ）に示されるように、ＬＥＤが光っている状態にあっては、端子番号数字２８ａは、その背後からＬＥＤの光を受けて発光部５１ａに示されるように矩形領域が発光し、その明るいバックグラウンドの中に濃色の数字部分が明瞭に描き出されることとなるのである。
【００４８】
以上説明したように、この実施形態のＰＬＣ１によれば、外部配線を結線するための端子（上段端子２１ａ，下段端子２２ａ，上段端子３１ａ，下段端子３２ａ）を複数配列してなる端子台（入力端子台２，出力端子台３）と、端子台を構成する各端子を識別するためのシンボル（例えば、入力端子番号数字２７ａ，出力端子番号数字２８ａ）を、端子台上の端子配列に整合するように、端子台（入力端子台２，出力端子台３）に隣接して配列してなる端子シンボル列（２７ａ，２７ｂ，２８ａ，２８ｂ，２８ｃ２８ａ・・・２８ａ，２８ａ）と、端子台を構成する各端子の信号状態に応じてそれぞれ点消灯する複数の表示灯（発光領域４１ａ，４２ａ，５１ａ，５２ａ）とを有し、かつ端子シンボル列を構成する個々の端子シンボル（２７ａ，２８ａ）と表示灯列を構成する個々の表示灯（発光領域４１ａ，４２ａ，５１ａ，５２ａ）とは、対応するもの同士において、位置的に重なるように配置されているのである。
【００４９】
そのため、図１から明らかなように、本発明によれば、いずれかの発光領域が発光して、その中央部に描かれた端子番号数字が明瞭に描き出されれば、直ちにその発光部の真上もしくは真下に位置する端子の配線にそのような信号が出力され又は到来したことを一目瞭然で把握することができ、メンテナンス作業やトラブルシューティングなどの際に、その作業性が著しく改善されるのである。
【００５０】
なお、以上の実施形態においては、本発明を入出力ユニット一体型のＰＬＣ（パッケージ型ＰＬＣと呼ばれることもある）に適用したが、本発明の適用はこれに限られるものではなく、ビルディング・ブロックタイプのＰＬＣにおける入力ユニット、出力ユニット、入出力ユニット、さらには通信を介してマスタユニットと接続されたリモート入力ユニット、リモート出力ユニット、リモート入出力ユニットなどにも同様な適用が可能である。つまり、本発明は、ＰＬＣシステムを構成する場合において、外部機器と接続するための信号線（外部配線）を結線するための端子を複数配列してなる端子台を備えた装置にも適用が可能である。
【産業上の利用可能性】
【００５１】
本発明のプログラマブル・コントローラの端子台装置によれば、端子シンボル列を構成する個々の端子シンボルと表示灯列を構成する個々の表示灯とは、対応するもの同士において、位置的に重なるように配置されており、しかも端子台を構成する各端子を識別するためのシンボルは、端子台上の端子配列に整合するように、端子台に隣接して配列されるものであるから、いずれかの端子シンボルと対をなす表示灯が点灯または消灯すれば、その表示灯と対をなす端子シンボルとの位置関係に基づいて、該当する配線が接続された端子を直ちに判別することができ、トラブルシューティングやメンテナンスの際における作業性が良好なものとなる。
【図面の簡単な説明】
【００５２】
【図１】本発明が適用されたＰＬＣの外観を示す平面図である。
【図２】ＰＬＣの構造を示す分解斜視図である。
【図３】図１におけるＡ−Ａ断面図である。
【図４】図１におけるＢ部拡大図である。
【図５】入力側光ガイドの配線表の説明図である。
【図６】出力側光ガイドの配線表の説明図である。
【図７】従来のＰＬＣの外観を示す平面図である。
【符号の説明】
【００５３】
１  ＰＬＣ
２  入力端子台
３  出力端子台
４  入力側配線表
５  出力側配線表
１４  運転表示部
１５，１６，１９  付属品収納部
１７  バッテリ収容部
１８  外部操作機器収容部
２１  上段入力端子列
２２  下段入力端子列
２１ａ  上段端子
２２ａ  下段端子
２３  入力側光ガイド
２３ａ  上段ガイドピン
２３ｂ  下段ガイドピン
２３ｃ  上面
２４  出力側光ガイド
２４ａ  上段ガイドピン
２４ｂ  下段ガイドピン
２４ｃ  上面
２５ａ  挿通孔
２５ｂ  挿通孔
２６  回路基板
２６ａ  入力側上段ＬＥＤ
２６ｂ  入力側下段ＬＥＤ
２６ｃ  出力側上段ＬＥＤ
２６ｄ  出力側下段ＬＥＤ
２６ｅ  ７セグメント表示器
２６ｆ，２６ｇ，２６ｈ  主回路を構成するＬＳＩ
２７  端子シンボル
２７ａ  端子番号数字
２８  端子シンボル
２８ａ  端子番号数字
３１  上段出力端子列
３１ａ  上段端子
３２  下段出力端子列
３２ａ  下段端子
４１  上段個別領域
４１ａ  発光領域
４２  下段個別領域
４２ａ  発光領域
５１  上段個別領域
５２  下段個別領域
５１  上段個別領域
５２  下段個別領域
５１ａ  発光領域
５２ａ  発光領域
【図１】
2006309727.tif 000003
【図２】
2006309727.tif 000004
【図３】
2006309727.tif 000005
【図４】
2006309727.tif 000006
【図５】
2006309727.tif 000007
【図６】
2006309727.tif 000008
【図７】
2006309727.tif 000009